(57)【特許請求の範囲】
【請求項１】
光源体が設けられたケースと、
このケースの開放面を覆って設けられた表板と、
透光性物質からなり上記表板に設けられ、前面にエレベーター用の所定の標識が設けられた第一の表示体と、
上記表板に設けられ、上記第一の表示体の上記前面に対して段差のある、上記前面とは異なる面に複数個が配置され、上記第一の表示体の上記前面よりもそれぞれ小さい面積に形成された透光性の第二の表示体と
を備えたエレベーター用表示灯装置。
【請求項２】
光源体が設けられたケースと、
このケースの開放面を覆って設けられた表板と、
透光性物質からなり上記表板に設けられ、前面にエレベーター用の所定の標識が設けられた第一の表示体と、
上記表板に設けられ、上記第一の表示体の上記前面に対して傾斜を有する、上記前面とは異なる面に複数個が配置され、上記第一の表示体の上記前面よりもそれぞれ小さい面積に形成された透光性の第二の表示体と
を備えたエレベーター用表示灯装置。
【請求項３】
上記第二の表示体は、上記第一の表示体の周りを囲むように配置されたことを特徴とする請求項１又は請求項２に記載のエレベーター用表示灯装置。
【発明の詳細な説明】
【０００１】
【発明の属する技術分野】
この発明は、乗場に設けられるホールランタン等として使用されるエレベーター用表示灯装置に関する。
【０００２】
【従来の技術】
図９及び図１０は、例えば特開平２−８６５７７号公報に示された構成に類似した従来のエレベーター用表示灯装置を示す図で、図９は正面図、図１０は図９の縦断側面図である。図において、１は一側に開放面が形成されたケース、２はケースに設けられた光源体である。
【０００３】
３はケース１の開放面を覆って設けられた表板で、貫通孔４が設けられている。５は透光性の合成樹脂材料からなる表示体で、表板３に設けられて貫通孔４に嵌合され、前面６に三角形からなる標識７が設けられている。８は光源体２の配線である。
【０００４】
従来のエレベーター用表示灯装置は上記のように構成され、図示が省略してあるが、例えば乗場灯においてかごが乗場に到着することを予報する。すなわち、光源２が点灯され表示体５が照明されてかごの到着を表示する。これによって、エレベーター乗場の待ち客にかごの到着及び昇降方向を報知するようになっている。
【０００５】
【発明が解決しようとする課題】
上記のような従来のエレベーター用表示灯装置では、例えばエレベーター乗場に設けられた表示灯の場合に、建物の天井照明光又は屋外からの自然光等が表示体５の前面６に当たる場合がある。このようなときにエレベーター乗場において、待ち客がいる位置によってはエレベーター乗場等の外部照明が表示体５の前面６に反射して、表示体５の照明による表示が認識しにくくなるという問題点があった。
【０００６】
この発明は、かかる問題点を解消するためになされたものであり、照明された表示体による表示作用が、エレベーター乗場等の外部照明に影響されにくいエレベーター用表示灯装置を得ることを目的とする。
【０００７】
【課題を解決するための手段】
この発明に係るエレベーター用表示灯装置においては、光源体が設けられたケースと、このケースの開放面を覆って設けられた表板と、透光性物質からなり表板に設けられ、前面にエレベーター用の所定の標識が設けられた第一の表示体と、表板に設けられ、第一の表示体の前面に対して段差のある、上記前面とは異なる面に複数個が配置され、第一の表示体の前面よりもそれぞれ小さい面積に形成された透光性の第二の表示体とが設けられる。
【０００８】
この発明に係るエレベーター用表示灯装置においては、光源体が設けられたケースと、このケースの開放面を覆って設けられた表板と、透光性物質からなり表板に設けられ、前面にエレベーター用の所定の標識が設けられた第一の表示体と、表板に設けられ、第一の表示体の前面に対して傾斜を有する、上記前面とは異なる面に複数個が配置され、第一の表示体の前面よりもそれぞれ小さい面積に形成された透光性の第二の表示体とが設けられる。
【０００９】
また、この発明に係るエレベーター用表示灯装置においては、第二の表示体が、第一の表示体の周りを囲むように配置される。
【００１０】
【発明の実施の形態】
実施の形態１．
図１及び図２は、この発明の実施の形態の一例を示す図で、図１は正面図、図２は図１の縦断側面図である。図において、１は一側に開放面が形成されたケース、２はケースに設けられた光源体、３はケース１の開放面を覆って設けられた表板で、貫通孔４が設けられている。９は透光性の合成樹脂材料からなる第一の表示体で、表板３に設けられて貫通孔４に嵌合され、前面６に三角形からなる標識７が設けられている。８は光源体２の配線である。
【００１１】
１０は第二の表示体で、表板３に設けられて表板３の表面側よりも裏面側が広がった貫通孔によって構成され、第一の表示体９の前面６よりも小さい面積に形成されて、第一の表示体９の廻りを囲んで複数個が配置されている。１１は第二の表示体１０の要部を形成した透光板で、第一の表示体９とは異色をなす透光性の合成樹脂材料からなり、表板３の裏面に配置されて第二の表示体１０に宛がわれている。
【００１２】
上記のように構成されたエレベーター用表示灯装置において、図示が省略してあるが、例えば乗場灯においてかごが乗場に到着することを予報する。すなわち、光源２が点灯されて第一の表示体９が照明されてかごの到着を表示する。これによって、エレベーター乗場の待ち客にかごの到着及び昇降方向を報知する。そして、このときに光源２の点灯による第一の表示体９の照明と共に、第二の表示体１０が点線状に透光板１１の色彩によって光って見える。
【００１３】
そして、エレベーター乗場における建物の天井照明光又は屋外からの自然光等がエレベーター用表示灯装置に当たる場合がある。しかし、第一の表示体９の前面６に対して段差のある面により形成され、異なる面をなす表板３に第二の表示体１０が設けられる。このため、エレベーター乗場の外部照明等がエレベーター用表示灯装置に当たるときであっても、その光が待ち客のいる位置へ同時に反射することは極めて少ない。従って、第一の表示体９及び第二の表示体１０の少なくとも一方の光源体２の照明による表示を容易に認識することができる。
【００１４】
これによって、照明された第一の表示体９、第二の表示体１０による表示作用がエレベーター乗場の外部照明等に影響されにくくなる。したがって、エレベーター乗場の待ち客がエレベーター用表示灯装置の表示を見誤ることよる不都合、混乱の発生を未然に防止することができる。
【００１５】
また、第二の表示体１０に異色の透光板１１が設けられ、光源２の点灯により透光板１１の色彩により第二の表示体１０による点線状の形状が光って見える。これにより、エレベーター用表示灯装置の装飾性を多様化することができる。
なお、第二の表示体１０の配置は、図１に示すように必ずしも第一の表示体９を囲む必要はなく、また第二の表示体１０の小穴の大きさ、形状、個数は図１に示す態様に拘束されることはなく、表板３の適所に第二の表示体１０の複数個が適宜に配置された構成であっても、図１及び図２における作用を得ることができる。
【００１６】
また、光源体２の輝度、光色、連続か点滅か等の点灯状況を適宜に設定することによって、エレベーター用表示灯装置の装飾性を多様化することができる。
また、第二の表示体１０を、小穴にグラスファイバー、透光性の合成樹脂材料、発光ダイオード等を嵌合状態に配置した構成であっても、図１及び図２における作用を得ることができて、エレベーター用表示灯装置の装飾性を多様化することができる。
【００１７】
実施の形態２．
図３は、この発明の他の実施の形態の一例を示す前述の図２の要部相当図である。図において、図１及び図２と同符号は相当部分を示し、１２は表板で、中央の第一の表示体９の装着箇所が引退して成形されて傾斜面１３が構成されている。１０は第二の表示体で、傾斜面１３に設けられて表板３の表面側よりも裏面側が広がった貫通孔によって構成され、第一の表示体９の前面６よりも小さい面積に形成されて、第一の表示体９の廻りを囲んで複数個が配置されている。
【００１８】
上記のように構成されたエレベーター用表示灯装置においても、第一の表示体９の前面６に対して交差した面により形成されて、異なる面をなす傾斜面１３に第二の表示体１０が設けられる。したがって、詳細な説明を省略するが図３の実施の形態においても図１及び図２の実施の形態と同様な作用が得られる。なお、この実施の形態２においては、待ち客のいる位置から光源体２が第二の表示体１０を通して直視できない。従って、前述の第一の表示体９とは異色をなす透光板１１を設けない構成であっても、良好な表示作用を得ることができる。
【００１９】
実施の形態３．
図４及び図５も、この発明の他の実施の形態の一例を示す図で、図４は前述の図１相当図、図５は図４の要部縦断側面図である。図において、前述の図１及び図２と同符号は相当部分を示し、１４は着色された標示環で、円形の表板３に設けられて第一の表示体９を囲んで配置されている。１０は第二の表示体で、標示環１４の幅内に互いに長手、すなわち円周方向に離れて設けられている。
【００２０】
上記のように構成されたエレベーター用表示灯装置においても、第一の表示体９の前面６に対して段差のある面により形成されて異なる面をなす表板３に第二の表示体１０が設けられる。したがって、詳細な説明を省略するが図４及び図５の実施の形態においても図１及び図２の実施の形態と同様な作用が得られる。なお、標示環１４の幅内に第二の表示体１０が設けられるので、第二の表示体１０による表示を明確にすることができる。
【００２１】
実施の形態４．
図６も、この発明の他の実施の形態の一例を示す前述の図１相当図である。図において、前述の図１及び図２と同符号は相当部分を示し、１０は第二の表示体で、第一の表示体９の廻りを囲んで複数個が具象的な形象を形成して配置されている。
【００２２】
上記のように構成されたエレベーター用表示灯装置においても、第一の表示体９の前面６に対して段差のある面により形成されて異なる面をなす表板３に第二の表示体１０が設けられる。したがって、詳細な説明を省略するが図６の実施の形態においても図１及び図２の実施の形態と同様な作用が得られる。なお、具象的な形象を形成して第二の表示体１０が設けられる。これにより、エレベーター用表示灯装置の装飾性を多様化することができる。
【００２３】
実施の形態５、
図７及び図８も、この発明の他の実施の形態の一例を示す図で、図７は前述の図１相当図、図８は図７の縦断側面図である。図において、前述の図１及び図２と同符号は相当部分を示し、１５はケース１内に設けられて第一の表示体９を囲んで配置された遮光枠、１６はケース１内に設けられて遮光枠１５内に配置され第一の表示体９に対向した主光源体、１７はケース１内に設けられて遮光枠１５外に配置された副光源体である。
【００２４】
上記のように構成されたエレベーター用表示灯装置においても、第一の表示体９の前面６に対して段差のある面により形成されて異なる面をなす表板３に第二の表示体１０が設けられる。したがって、詳細な説明を省略するが図７及び図８の実施の形態においても図１及び図２の実施の形態と同様な作用が得られる。
【００２５】
また、複数台が並列に設置されたエレベーター装置において、それぞれのエレベーターに対して主光源体１６、副光源体１７の点灯状況の組み合わせを設定する。例えば、第一エレベーターに対して主光源体１６が連続点灯、副光源体１７は点滅点灯し、第二エレベーターに対して主光源体１６が点滅点灯、副光源体１７は連続点灯するように表示を制御する。
【００２６】
これによって、エレベーター乗場の待ち客が、それぞれのエレベーターに対する表示を容易に認識することができる。したがって、エレベーター乗場の待ち客がエレベーターそれぞれにおけるエレベーター用表示灯装置の表示を見誤ることよる不都合、混乱の発生を未然に防止することができる。
【００２７】
【発明の効果】
この発明は以上説明したように、光源体が設けられたケースと、このケースの開放面を覆って設けられた表板と、透光性物質からなり表板に設けられ、前面にエレベーター用の所定の標識が設けられた第一の表示体と、表板に設けられ、第一の表示体の前面に対して段差のある、上記前面とは異なる面に複数個が配置され、第一の表示体の前面よりもそれぞれ小さい面積に形成された透光性の第二の表示体とを設けたものである。
【００２８】
これによって、光源体が点灯されて第一の表示体及び第二の表示体が照明され、例えばエレベーター乗場の待ち客にかごの到着及び昇降方向が表示される。このときに、第一の表示体とは異なる面であって段差のある面に第二の表示体が設けられていることによって、外部照明がエレベーター用表示灯装置に当たるときであっても、第一の表示体及び第二の表示体の少なくとも一方の光源体の照明による表示を容易に認識することができる。したがって、エレベーター用表示灯装置の表示を見誤ることよる不都合、混乱の発生を未然に防止する効果がある。
【００２９】
また、この発明は以上説明したように、光源体が設けられたケースと、このケースの開放面を覆って設けられた表板と、透光性物質からなり表板に設けられ、前面にエレベーター用の所定の標識が設けられた第一の表示体と、表板に設けられ、第一の表示体の前面に対して傾斜を有する、上記前面とは異なる面に複数個が配置され、第一の表示体の前面よりもそれぞれ小さい面積に形成された透光性の第二の表示体とを設けたものである。
【００３０】
これによって、光源体が点灯されて第一の表示体及び第二の表示体が照明され、例えばエレベーター乗場の待ち客にかごの到着及び昇降方向が表示される。このときに、第一の表示体とは異なる面であって傾斜を有する面に第二の表示体が設けられていることによって、外部照明がエレベーター用表示灯装置に当たるときであっても、第一の表示体及び第二の表示体の少なくとも一方の光源体の照明による表示を容易に認識することができる。したがって、エレベーター用表示灯装置の表示を見誤ることよる不都合、混乱の発生を未然に防止する効果がある。また、標示環の幅内に第二の表示体が設けられるので、第二の表示体による表示を一層明確化する効果がある。
【００３１】
また、この発明は以上説明したように、第二の表示体が、第一の表示体の周りを囲むように配置される。
【００３２】
これによって、光源体が点灯されて第一の表示体及び第二の表示体が照明され、例えばエレベーター乗場の待ち客にかごの到着及び昇降方向が表示される。このときに、第二の表示体が、第一の表示体の周りを囲むように配置されていることによって、外部照明がエレベーター用表示灯装置に当たるときであっても、第一の表示体及び第二の表示体の少なくとも一方の光源体の照明による表示を容易に認識することができる。したがって、エレベーター用表示灯装置の表示を見誤ることよる不都合、混乱の発生を未然に防止する効果がある。
【図面の簡単な説明】
【図１】  この発明の実施の形態１を示す正面図。
【図２】  図２は図１の縦断側面図。
【図３】  この発明の実施の形態２を示す図で、図２の要部相当図。
【図４】  この発明の実施の形態３を示す図で、図１相当図。
【図５】  図４の要部縦断側面図。
【図６】  この発明の実施の形態４を示す図で、図１相当図。
【図７】  この発明の実施の形態５を示す図で、図１相当図。
【図８】  図７の縦断側面図。
【図９】  従来のエレベーター用表示灯装置を示す正面図。
【図１０】  図９の縦断側面図。
【符号の説明】
１  ケース、２  光源体、３  表板、６  前面、９  第一の表示体、１０  第二の表示体、１４  標示環、１５  遮光枠、１６  主光源体、１７  副光源体。
【図１】
0004322352.tif 000002
【図２】
0004322352.tif 000003
【図３】
0004322352.tif 000004
【図４】
0004322352.tif 000005
【図５】
0004322352.tif 000006
【図６】
0004322352.tif 000007
【図７】
0004322352.tif 000008
【図８】
0004322352.tif 000009
【図９】
0004322352.tif 000010
【図１０】
0004322352.tif 000011